(57)【要約】【課題】筐体のビビリ音を防止することができる表示装置及びテレビジョン受信機を提供する。【解決手段】前側に画像を表示する画面を有する表示部２０及び該画面に対応する部分に開口が設けられ、底壁３１１、４１３１を有する筐体３０、４０を備える表示装置１０において、表示部２０を支持する支持板１００を備え、支持板１００は筐体３０、４０の底壁３１１、４１３１内面に接して配置されている。【選択図】図１３
2015019324.tif 000002
【特許請求の範囲】
【請求項１】
前側に画像を表示する画面を有する表示部及び該画面に対応する部分に開口が設けられ、底壁を有する筐体を備える表示装置において、
前記表示部を支持する支持板を備え、
該支持板は前記筐体の底壁内面に接して配置されている
ことを特徴とする表示装置。
【請求項２】
記録媒体に記録された画像を再生する再生部を備え、
前記支持板は前記再生部を支持している
ことを特徴とする請求項１に記載の表示装置。
【請求項３】
前記筐体の底壁に前記支持板より小さい開口が開設されている
ことを特徴とする請求項１又は請求項２に記載の表示装置。
【請求項４】
箱体内部にスピーカが固定してあるスピーカボックスを備え、
前記支持板は前記表示部中央の下方に配置され、
前記支持板が前記筐体の底壁内面に接する部分の一部は、前記スピーカボックスの直下にある
ことを特徴とする請求項１から請求項３までのいずれか一項に記載の表示装置。
【請求項５】
請求項１から請求項４までのいずれか一項に記載の表示装置と、
テレビジョン放送を受信する受信部と
を備え、
前記表示装置の表示部は前記受信部が受信したテレビジョン放送に係る画像を前記画面に表示するようにしてあり、
前記再生部は前記受信部が受信したテレビジョン放送に係る画像を記録するようにしてある
ことを特徴とするテレビジョン受信機。
【発明の詳細な説明】
【技術分野】
【０００１】
本願は、筐体のビビリ音を防止する表示装置及びテレビジョン受信機に関する。
【背景技術】
【０００２】
表示装置の筐体に固定されたスピーカは、音声に伴う振動を発生させる。スピーカからの振動が分割された筐体の継目に伝播した場合、分割された筐体部品同士が触れ合って所謂ビビリ音が発生し、製品の性能品位を低下させる。そこで、ビビリ音対策として、分割した筐体部分の接合部に緩衝用テープ、緩衝用シート等が貼設される。一方、スピーカボックスを構成するスピーカキャビネットの底板下面に大重量の基台をボルトで固定することにより、ビビリ音を除去するスピーカシステムが開示されている（例えば、特許文献１参照）。
【先行技術文献】
【特許文献】
【０００３】
【特許文献１】実公平７−４９９０１号公報
【発明の概要】
【発明が解決しようとする課題】
【０００４】
しかしながら、緩衝用テープ、緩衝用シート等の貼設は煩雑な作業であり、筐体部分の接合部から緩衝用テープ、緩衝用シート等が剥がれていないことを確認する作業も発生する。また、特許文献１に係るスピーカシステムを表示装置の外部に取り付けた場合、大重量の基台のために当該表示装置の見栄えが悪くなる。
【０００５】
本願は、かかる事情に鑑みてなされたものである。その目的は、筐体のビビリ音を防止することができる表示装置及びテレビジョン受信機を提供することにある。
【課題を解決するための手段】
【０００６】
本願に係る表示装置は、前側に画像を表示する画面を有する表示部及び該画面に対応する部分に開口が設けられ、底壁を有する筐体を備える表示装置において、前記表示部を支持する支持板を備え、該支持板は前記筐体の底壁内面に接して配置されていることを特徴とする。
【０００７】
本願に係る表示装置は、記録媒体に記録された画像を再生する再生部を備え、前記支持板は前記再生部を支持していることを特徴とする。
【０００８】
本願に係る表示装置は、前記筐体の底壁に前記支持板より小さい開口が開設されていることを特徴とする。
【０００９】
本願に係る表示装置は、箱体内部にスピーカが固定してあるスピーカボックスを備え、前記支持板は前記表示部中央の下方に配置され、前記支持板が前記筐体の底壁内面に接する部分の一部は、前記スピーカボックスの直下にあることを特徴とする。
【００１０】
本願に係るテレビジョン受信機は、上記に記載の表示装置と、テレビジョン放送を受信する受信部とを備え、前記表示装置の表示部は前記受信部が受信したテレビジョン放送に係る画像を前記画面に表示するようにしてあり、前記再生部は前記受信部が受信したテレビジョン放送に係る画像を記録するようにしてあることを特徴とする。
【発明の効果】
【００１１】
本願に係る表示装置及びテレビジョン受信機によれば、筐体のビビリ音を防止することができる。
【図面の簡単な説明】
【００１２】
【図１】テレビジョン受信機を正面側からみた斜視図である。
【図２】テレビジョン受信機を背面側から見た斜視図である。
【図３】バックキャビネットを取り除いたテレビジョン受信機を背面側から見た斜視図である。
【図４】スピーカボックスの中央を通過する縦切断面で切断したテレビジョン受信機下部の部分断面図である。
【図５】スピーカボックスの正面図である。
【図６】スピーカボックスが取り付けられるフロントキャビネットの後面付近を示す斜視図である。
【図７】図４のスピーカボックス断面と異なる部分で切断したテレビジョン受信機下部の部分断面図である。
【図８】スピーカボックスの背面図である。
【図９】右側のスピーカボックスと対向するバックキャビネットの箱部の内面を前方左側から示す部分斜視図である。
【図１０】スピーカボックスをフロントキャビネットに取り付ける様子を示す説明図である。
【図１１】支持板を正面側の上方から見た斜視図である。
【図１２】バックキャビネットの突部を前側下方から見た斜視図である。
【図１３】テレビジョン受信機の中央を通過する縦切断面で切断したテレビジョン受信機下部の部分断面図である。
【図１４】テレビジョン受信機の下面図である。
【発明を実施するための形態】
【００１３】
本願に係る一実施例の表示装置は、例えばテレビジョン受信機、電子黒板、チューナ（受信部）に接続して使用されるモニタ、デスクトップ型コンピュータに接続して使用されるモニタ及びデジタルサイネージに利用されるディスプレイを含む。以下では、表示装置の一例として、テレビジョン受信機を実施の形態に関する図面に基づいて説明する。
【００１４】
図１は、テレビジョン受信機１０を正面側からみた斜視図である。ここで、起立姿勢のテレビジョン受信機１０が画像を表示する画面２１に対して視聴者が正対した場合、画面２１から視聴者側を前側又は正面側、その反対を後側又は背面側とする。画面２１は、横長の矩形状をなす。視聴者から画面２１に向かって、画面２１の長辺方向右側をテレビジョン受信機１０の右側、画面２１の長辺方向左側をテレビジョン受信機１０の左側とする。画面２１の短辺方向上側をテレビジョン受信機１０の上側、画面２１の短辺方向下側をテレビジョン受信機１０の下側とする。図１は、正面側の左側から見たテレビジョン受信機１０を示している。
【００１５】
テレビジョン受信機１０は、表示部２０及びフロントキャビネット（筐体）３０を含む。表示部２０は、例えば液晶パネルモジュール、プラズマモジュール、有機ＥＬ（Electro Luminescence）モジュール、ＣＲＴ（Cathode Ray Tube）モジュール等である。表示部２０は、矩形板状をなし、前側に横長矩形状の画面２１を有している。
【００１６】
フロントキャビネット３０は、表示部２０の前側を覆う筐体の一部であり、例えば合成樹脂からなる。表示部２０の画面２１に対応するフロントキャビネット３０の部分には、横長矩形状の開口が設けられている。そのため、正面から見たフロントキャビネット３０は横長の矩形枠状をなす。
【００１７】
フロントキャビネット３０の下端部は、前側へ全長に亘って張り出した平板状のフランジ部３１を構成している。フランジ部３１の上面視形状は、前側の辺がより短い等脚台形状をなす。仮に、テレビジョン受信機１０が前方に転倒される力を受けた場合、フランジ部３１の底面がテレビジョン受信機１０の設置面を押圧することにより、テレビジョン受信機１０は転倒を回避するように構成されている。
【００１８】
画面２１に対応する開口下端とフランジ部３１との中間に位置するフロントキャビネット３０の前側には、左右方向へ延びた帯状の飾り板３２が配置してある。飾り板３２は、３枚あり、夫々左側、中央及び右側に１枚ずつフロントキャビネット３０の前側に配置している。左側及び右側の飾り板３２は、フロントキャビネット３０の前面に取り付けられている。左側の飾り板３２の左寄りの位置に、電源のＯＮ／ＯＦＦを示すＬＥＤ（Light Emitting Diode）、図示しないリモートコントローラから赤外線の信号を受信する受信部等が覗くことのできる複数の開口が横方向に直線状に配されている。テレビジョン受信機１０の後側下部中央には、後述する光ディスクドライブ８０（図３参照）が配置している。中央の飾り板３２は、光ディスクドライブ８０の正面に取り付けられている。右側の飾り板３２の左寄りの位置に、光ディスクドライブ８０のトレイを出し入れするボタンが突出する開口が配されている。
【００１９】
図２は、テレビジョン受信機１０を背面側から見た斜視図である。テレビジョン受信機１０は、バックキャビネット（筐体）４０を含む。バックキャビネット４０は、テレビジョン受信機１０の後側を覆う筐体の一部である。バックキャビネット４０は、例えば合成樹脂からなり、概ね後側に突出した皿状をなす。
【００２０】
ただし、バックキャビネット４０の下部は、後側に張り出したフランジ部４１を構成している。フランジ部４１の上下方向の厚さは、フロントキャビネット３０のフランジ部３１よりも厚い。フランジ部４１は、箱部４１１、４１２及び突部４１３を含む。箱部４１１、４１２は、フランジ部４１の左側及び右側を構成し、夫々左右方向に延びた直方体状をなす。突部４１３は、フランジ部４１の中央部分を構成し、箱部４１１、４１２よりも更に後側に張り出している。突部４１３の上面は、後側の辺がより短い等脚台形状をなす。フランジ部４１の全体的な上面視形状は、後側に突出し、裾野を広げた山形をなす。フランジ部４１における箱部４１１、突部４１３及び箱部４１２の境界付近は湾曲した形状をなし、意匠性に優れている。
【００２１】
前後方向のフランジ部４１の平均幅は、前後方向のフランジ部３１の平均幅よりも広い。仮に、テレビジョン受信機１０が後方に転倒される力を受けた場合、フランジ部４１の底面がテレビジョン受信機１０の設置面を押圧することにより、テレビジョン受信機１０は転倒を回避するように構成されている。
【００２２】
テレビジョン受信機１０は、起立姿勢で自身を支持するスタンドを備えていない。設置面と接するフロントキャビネット３０のフランジ部３１と、バックキャビネット４０のフランジ４１とがスタンドに代替している。このように、テレビジョン受信機１０の下部は、機能性と装飾性との両極を一つにまとめた新しい意匠を実現している。
【００２３】
図３は、バックキャビネット４０を取り除いたテレビジョン受信機１０を背面側から見た斜視図である。テレビジョン受信機１０は、チューナ５０、スピーカボックス６０、ＨＤ（Hard Disk）ドライブ（再生部）７０及び光ディスクドライブ（再生部）８０を含む。
【００２４】
チューナ５０は、テレビジョン放送に係る所要のチャンネルの電波を選択して受信し、これを一定周波数の信号に変換して出力する同調装置である。
表示部２０は、リモートコントローラに基づく操作に応じて、チューナ５０が受信したテレビジョン放送に係る画像を画面２１に表示する。
なお、表示部２０の後面には、チューナ５０以外に、電源、画像処理、制御等に関する複数の基板が取り付けられている。
【００２５】
スピーカボックス６０は、横方向に延びた直方体状の箱体６１を含む。箱体６１は、例えば合成樹脂からなる複数の部材を超音波溶着により接合して形成されている。そのため、箱体６１は、高い密閉性を有している。テレビジョン受信機１０は、スピーカボックス６０を２つ含む。２つのスピーカボックス６０は、表示部２０の後側下端部の左側と右側との位置に夫々対応するフロントキャビネット３０の後面部分に１つずつ取り付けられている。各スピーカボックス６０は、テレビジョン受信機１０が組み立てられた場合、バックキャビネット４０の箱部４１１、４１２に夫々覆われる。スピーカボックス６０は、リモートコントローラに基づく操作に応じて、チューナ５０が受信したテレビジョン放送に係る音声を出力する。
【００２６】
左右のスピーカボックス６０の両外側におけるフロントキャビネット３０の下部左右両端部は、夫々略三角形状をなし、最も外側の部分は僅かに設置面と接する小領域の底面を有している。
【００２７】
ＨＤドライブ７０は、磁気ディスクを有し、チューナ５０が受信したテレビジョン放送に係る画像及び音声の信号を磁気ディスクに記録する記録装置である。また、ＨＤドライブ７０は、磁気ディスクに記録した画像及び音声の信号を再生する再生装置でもある。表示部２０は、ＨＤドライブ７０が再生した画像の信号を入力し、入力した信号に応じた画像を画面２１に表示する。また、スピーカボックス６０は、ＨＤドライブ７０が再生した音声の信号を入力し、入力した信号に応じた音声を出力する。
【００２８】
光ディスクドライブ８０は、チューナ５０が受信したテレビジョン放送に係る画像及び音声の信号をＤＶＤ（Digital Versatile Disc）、ＢＤ（Blu-ray Disc、登録商標）等の光ディスクに記録する記録装置である。また、光ディスクドライブ８０は、光ディスクに記録した画像及び音声の信号を再生する再生装置でもある。表示部２０は、光ディスクドライブ８０が再生した画像の信号を入力し、入力した信号に応じた画像を画面２１に表示する。また、スピーカボックス６０は、ＢＤドライブ９０が再生した音声の信号を入力し、入力した信号に応じた音声を出力する。
光ディスクドライブ８０は、光ディスクに予め記録された映画等のコンテンツに係る画像及び音声の信号を再生することもできる。
【００２９】
テレビジョン受信機１０は、支柱９０及び支持板１００を含む。
支柱９０は、２本であり、表示部２０の後面下部に、ねじで夫々固定されている。
支持板１００は、前側に弦を有する半円形状又は半楕円状をなす金属板である。支持板１００は、例えば鉄製であり、十分な強度を有している。フロントキャビネット３０のフランジ部３１及びバックキャビネット４０のフランジ部４１は、夫々設置面と接する底壁を有している。支持板１００は、フランジ部３１及びフランジ部４１の底壁の上面に接して配置している。
【００３０】
２本の支柱９０は、夫々支持板１００の左半部の略中央及び右半部の略中央にねじで固定されている。これにより、表示部２０及びチューナ５０等の荷重は、支柱９０を介して支持板１００に支持されている。
【００３１】
ＨＤドライブ７０は、矩形状の金属板の上にねじで固定されている。２本の支柱９０には、夫々後方へ延びた形状をなす断面視Ｌ字状の金具がねじで固定されている。ＨＤドライブ７０が固定された金属板は、支柱９０に固定された金具にねじで固定されている。そのため、ＨＤドライブ７０、光ディスクドライブ８０が固定された金属板及び金属板が固定された金具の荷重は、支持板１００により支持されている。
【００３２】
光ディスクドライブ８０は、支持板１００上にねじで固定された金属製の箱体の内部に側方からねじで固定されている。そのため、光ディスクドライブ８０及び光ディスクドライブ８０が固定された金属製の箱体の荷重は、支持板１００により支持されている。
【００３３】
なお、ＨＤドライブ７０、金属板及び金具と、光ディスクドライブ８０及び箱体は、僅かな隙間で隔離されており、直接接していない。そのため、ＨＤドライブ７０及び光ディスクドライブ８０は、互いに自身の動作に伴う振動を伝播し合わないように構成されている。
【００３４】
図４は、スピーカボックス６０の中央を通過する縦切断面で切断したテレビジョン受信機１０下部の部分断面図である。
図５は、スピーカボックス６０の正面図である。
スピーカボックス６０は、箱体６１、スピーカ６２、第一通過口６３及び第一筒部６４を含む。スピーカ６２は、振動電流を膜の機械的振動に変えて音波を出す装置である。
【００３５】
スピーカ６２は横長であり、音声を前方に出す向きで箱体６１の下部に固定されている。スピーカ６２と対向する箱体６１の部分には、左右方向に延びた矩形状の第一通過口６３が開設されている。第一通過口６３は、スピーカが出力した音声を箱体６１の外部へ通過させる開口である。第一筒部６４は第一通過口６３の周縁部の箱体６１部分から前方へ突設された筒であり、その先端形状は第一通過口６３と同様に左右方向に延びた矩形枠状をなす。第一筒部６４は、スピーカ６２が出力した音声が通過する音道を構成している。
【００３６】
スピーカボックス６０は、バスレフダクト６６を含む（図４、７、８参照）。バスレフダクト６６は、箱体６１内部の後側上部に設けられた円管である。バスレフダクト６６は、スピーカ６２が出力する低音域の音声をヘルムホルツ共鳴によって増幅する。
【００３７】
図６は、スピーカボックス６０が取り付けられるフロントキャビネット３０の後面付近を示す斜視図である。第一筒部６４に対応するフロントキャビネット３０の後面部分には、第一筒部６４の先端と同様の形状をなす第一放出口３４が開設されている。第一放出口３４は、第一筒部６４を通過したスピーカ６２からの音声が外部へ放出される開口である。第一放出口３４の内部は、格子で複数の開口に区切られている。
【００３８】
第一筒部６４の先端部と、第一放出口３４の周縁部との間には、これらに挟着される第一緩衝材１２０が介在する。第一緩衝材１２０は、第一筒部６４の先端部と同様の矩形枠状をなす。第一緩衝材１２０は、エチレン酢酸ビニル共重合樹脂からなり、内部に複数の独立気泡が形成されている。エチレン酢酸ビニル共重合樹脂は、例えば熱硬化性樹脂よりも柔らかく、例えばウレタンよりも硬い。また、独立気泡型の樹脂は、連続気泡構造を有する樹脂よりも通気性が低い。そのため、第一緩衝材１２０は、スピーカ６２に起因する音声及び振動を吸収し、音声及び振動の伝播を防止する大きな効果を奏する。
【００３９】
図７は、図４のスピーカボックス６０断面と異なる部分で切断したテレビジョン受信機１０下部の部分断面図である。
図８は、スピーカボックス６０の背面図である。
箱体６１の後面の一部はバスレフダクト６６の側面の一部を兼ねており、当該後面の一部は後側に突出した丸味を帯びている。
【００４０】
スピーカボックス６０は、第二通過口６７を含む。第二通過口６７は、箱体６１の表面に接続されたバスレフダクト６６の一開口である。換言すると、バスレフダクト６６は、第二通過口６７から箱体６１の内部へ向けて延びる円管である。バスレフダクト６６の他開口は、開放端であり、箱体６１の内部に配置している。
なお、バスレフダクト６６は角管でもよく、第二通過口６７は正方形状又は矩形状でもよい。
【００４１】
第二通過口６７の周囲に、ドーナツ状の第二緩衝材１３０が接着されている。第二緩衝材１３０の内径は、第二通過口６７の径と略同一である。第二緩衝材１３０の材質は、第一緩衝材１２０の材質と同一である。
【００４２】
図９は、右側のスピーカボックス６０と対向するバックキャビネット４０の箱部４１２の内面を前方左側から示す部分斜視図である。スピーカボックス６０の第二通過口６７と対向する箱部４１２には、バスレフダクト６６で増幅された低音域の音声を外部へ放出する円形状の第二放出口４２が設けられている。第二放出口４２の周縁部から前側の第二緩衝材１３０へ向けて第二筒部４３が突設されている。第二筒部４３は、第二通過口６７から出力された音声が通過する音道を構成している。
【００４３】
次に、スピーカボックス６０の取り付け手順について説明する。
図１０は、スピーカボックス６０をフロントキャビネット３０に取り付ける様子を示す説明図である。フロントキャビネット３０の後側を上方に向けて、フロントキャビネット３０を略水平な台に載置する。第一放出口３４の周囲に第一緩衝材１２０を仮固定する。その際、第一緩衝材１２０は、シールで第一放出口３４の周囲に貼られる。あるいは、フロントキャビネット３０の後面から突設された突起を第一緩衝材１２０に設けた切れ込み、穴等に挿入することにより、第一緩衝材１２０は、第一放出口３４の周囲に仮固定される。
【００４４】
各スピーカボックス６０の箱体６１の両側面には、前後方向に貫通穴が開設された取付リブ６５が１つずつ突設されている（図５、図８、図１０）。貫通穴の内壁には、ドーナツ状の緩衝材が着設されている。各取付リブ６５をフロントキャビネット３０の背面から突設されたボス３３にねじで固定されることにより、スピーカボックス６０はフロントキャビネット３０に固定される。その際、第一緩衝材１２０は、前後に押圧されて、第一筒部６４の先端部と、第一放出口３４の周縁部との間に挟着される。
【００４５】
フロントキャビネット３０に対する表示部２０等の部品の取り付けが終了した場合、バックキャビネット４０の前側を下方に向けて、バックキャビネット４０をフロントキャビネット３０に重ねる。バックキャビネット４０及びフロントキャビネット３０を互いの係合部で係合させる。そして、後側からバックキャビネット４０の周囲に設けられた複数の穴に入れたねじで、バックキャビネット４０及びフロントキャビネット３０を締結する。その際、第二緩衝材１３０は、第二筒部４３の先端部と、第二通過口６７の周縁部との間で挟着される。
【００４６】
図１１は、支持板１００を正面側の上方から見た斜視図である。支持板１００は、支持板部１０１及び枠壁部１０２を含む。支持板部１０１は、支持板１００の主体をなし、半円状又は半楕円状の板である。支持板部１０１の前側は画面２１の長辺と略平行な直線状の縁をなす。支持板部１０１の外形は、前後方向の中心線に対して対称である。支持板部１０１の前側縁と、後側先端との中間の縁部分は若干角張っている。
【００４７】
支持板部１０１は、２段の台地状をなし、下方から上方へ向かって、底壁１０１１、２つの中段壁１０１２及び２つの支柱底壁１０１３を含む。底壁１０１１は、最も低い平坦面を構成している。底壁１０１１の中央には、複数の通気孔が穿孔されている。２つの中段壁１０１２は、底壁１０１１から上方へ盛り上がった五角形状の平坦部をなし、前後方向の支持板部１０１の中心線に対して対称に配置している。
【００４８】
２つの支柱底壁１０１３は、夫々中段壁１０１２から上方へ盛り上がった矩形状の平坦部をなし、前後方向の支持板部１０１の中心線に対して対称に配置している。支柱底壁１０１３の平坦部は、支柱９０がねじで接合される接合面を構成している。支柱底壁１０１３の平坦部は、僅かに後側へ傾斜している。支柱９０は支柱底壁１０１３に対してその延在方向が直角方向を向くように取り付けられるため、表示部２０等は若干後側へ傾斜する姿勢で支柱９０に固定される。
【００４９】
支持板部１０１の前側縁には、後方へ向かって４本の細い線状の切欠き１０１４が設けられている。これら４本の切欠き１０１４により分けられる支持板部１０１の前側縁は、３つの延在部１０１５と、２つの下部延在部１０１６とを含む。延在部１０１５及び下部延在部１０１６は、互い違いに配列している。
【００５０】
延在部１０１５は、底壁１０１１の平坦面を延長した平坦面を構成している。他方、下部延在部１０１６は、立面視Ｌ字状をなし、延在部１０１５よりもフロントキャビネット３０の肉厚程度だけ下方に位置するように、２本の切欠き１０１４の奥部の間に位置する基部が僅かに下側へ折り曲げられている。そのため、支持板部１０１を正面から見た場合、延在部１０１５及び下部延在部１０１６の先端部は、千鳥状に配列している。延在部１０１５及び下部延在部１０１６がフロントキャビネット３０のフランジ部３１の底壁を挟むことにより、フロントキャビネット３０は支持板１００に係止される。
【００５１】
枠壁部１０２は、支持板部１０１の半円状又は半楕円状の周端から上側に立ち上がる壁である。枠壁部１０２の最後方かつ中央部には、前後方向にねじ穴１０２１が設けられている。
【００５２】
図１２は、バックキャビネット４０の突部４１３を前側下方から見た斜視図である。突部４１３は、支持板１００、支柱９０の下部、ＨＤドライブ７０及び光ディスクドライブ８０を後側から覆うバックキャビネット４０の一部である（図２、図３）。突部４１３は、底壁４１３１、側壁４１３２及び天壁４１３３を含む。
【００５３】
底壁４１３１は、支持板１００の枠壁部１０２に沿った帯状をなし、バックキャビネット４０が設置面と接する底面を構成している。テレビジョン受信機１０の組み立てに時に、底壁４１３１の上面には、支持板１００の支持板部１０１が載置される。
【００５４】
側壁４１３２は、１つの段部を有し、該段部で分けられる下部側壁４１３４及び上部側壁４１３５を含む。上部側壁４１３５は、下部側壁４１３４よりも上下方向の幅が広く、より後方に突出している。上下方向の下部側壁４１３４の幅は、支持板１００の枠壁部１０２の高さと略同一である。テレビジョン受信機１０の組み立てに時に、下部側壁４１３４には、支持板１００の枠壁部１０２が当接される。下部側壁４１３４の最後方かつ中央部には、前後方向にねじ穴４１３６が設けられている。
【００５５】
天壁４１３３の前側縁に３つのリブ４１３７が延設されている。３つのリブ４１３７は、突部４１３を含むフランジ部４１より上側のバックキャビネット４０部分と、突部４１３とを固定するための部材である。
【００５６】
図１３は、テレビジョン受信機１０の中央を通過する縦切断面で切断したテレビジョン受信機１０下部の部分断面図である。
突部４１３のリブ４１３７の上面先端に、爪が設けられている。また、突部４１３より上側のバックキャビネット４０部分の下端に、リブ４１３７の爪と係合する爪が設けられている。これらの爪の係合により、突部４１３と、突部４１３より上側のバックキャビネット４０部分とは結合している。
【００５７】
ねじを後側からバックキャビネット４０のねじ穴４１３６と、支持板１００のねじ穴１０２１とに螺合することにより、バックキャビネット４０の突部４１３と支持板１００とは固定される。支持板１００は、フロントキャビネット３０の底壁３１１と、バックキャビネット４０の底壁４１３１との上に載置されている。前側についてより詳細には、支持板１００の延在部１０１５がフロントキャビネット３０のフランジ部３１の底壁３１１の上に載置されている。
【００５８】
図１４は、テレビジョン受信機１０の下面図である。図１４の上方及び下方は、夫々テレビジョン受信機１０の後側及び前側に対応する。図１４において、フロントキャビネット３０と、バックキャビネット４０とがテレビジョン受信機１０の設置面と接する部分に、ハッチングが施されている。フロントキャビネット３０及びバックキャビネット４０が設置面と接する部分には、中央部と、側方の両端部とがある。側方の両端部はフロントキャビネット３０の底壁３１１の僅かな領域であり、テレビジョン受信機１０の荷重のほとんどは、フロントキャビネット３０及びバックキャビネット４０の中央部にかかるように構成されている。
【００５９】
下方から見た場合、支持板１００の延在部１０１５により下方に押圧されるフロントキャビネット３０の底壁３１１部分が、設置面と接するフロントキャビネット３０の部分に該当する。また、支持板１００の後側縁部により下方に押圧されるバックキャビネット４０の底壁４１３１が、設置面と接するバックキャビネット４０の部分に該当する。
【００６０】
底壁３１１と、底壁４１３１との間にも、設置面と接するバックキャビネット４０の部分が２つあり、これらの部分はバックキャビネット４０の箱部４１１、４１２の底壁の一部を構成している。箱部４１１、４１２の底壁の大部分は、設置面に接していない。他方、下方から見た場合、箱部４１１の底壁の左端部４１１１と、箱部４１２の底壁の右端部４１２１とは、設置面と接する。支持板１００の一部は、箱部４１１の底壁の左端部４１１１と、箱部４１２の底壁の右端部４１２１との上面に当接しており、底壁の左端部４１１１と、底壁の右端部４１２１とを下方に押圧している。
【００６１】
下面視したテレビジョン受信機１０の底部中央は、全体として、フロントキャビネット３０及びバックキャビネット４０からなる筐体の底壁３１１、４１１１、４１３１、４１２１に、支持板１００より小さい開口が開設されている。あるいは、支持板１００の下面の周囲を縁取るように底壁３１１、４１１１、４１３１、４１２１が額縁状に配置している。
【００６２】
また、図１４において、スピーカボックス６０の直下に対応するフロントキャビネット３０及びバックキャビネット４０の底面領域に、太い鎖線が描かれている（図３参照）。テレビジョン受信機１０の筐体が設置面と接する部分（ハッチング部分）の一部は、スピーカボックス６０の直下に対応する筐体の底面領域（太い鎖線部分）に含まれている。
【００６３】
支持板１００と、テレビジョン受信機１０の筺体の底壁３１１、４１１１、４１３１、４１２１内面とが接している部分の一部（底壁３１１、４１１１、４１２１）は、スピーカボックス６０の直下に位置する。すなわち、スピーカボックス６０の直下に位置するテレビジョン受信機１０の筐体部分は、支持板１００により下方に押圧されている。
【００６４】
上述では、下面視したテレビジョン受信機１０の底部中央は、全体として、フロントキャビネット３０及びバックキャビネット４０からなる筐体の底壁３１１、４１１１、４１３１、４１２１に、支持板１００より小さい開口が開設されていた。しかし、フロントキャビネット３０及びバックキャビネット４０からなる筐体の底壁に開口を設けず、支持板１００の下面全体が筐体の底壁全体を下方に押圧してもよい。
【００６５】
上述では、支持板１００は、半円状又は半楕円状をなしていたが、支持板１００の形状はこれらに限らない。支持板１００は、例えば矩形状、Ｈ字状、Ｖ字状、Ｘ字状、Ｃ字状、Ｙ字状、Ｕ字状、Ｏ字状、Ｄ字状、Ｍ字状でもよい。
【００６６】
テレビジョン受信機１０によれば、筐体のビビリ音を防止することができる。
支持板１００は、表示部２０、チューナ５０、ＨＤドライブ７０、光ディスクドライブ８０等の荷重を支持している。そのため、支持板１００を載置している筐体の底壁３１１、４１１１、４１３１、４１２１に、支持板１００、表示部２０、チューナ５０、ＨＤドライブ７０、光ディスクドライブ８０等の荷重が及ぶことになる。これにより、筐体の底壁３１１、４１１１、４１３１、４１２１が支持板１００と載置面とで押圧されるので、ビビリ音の主因である筐体の振動が低減される。また、筐体の振動が低減されることにより、表示部２０の後面に取り付けられた各種基板の振動も低減され、これらが触れ合って生じるビビリ音も防止することができる。
【００６７】
テレビジョン受信機１０によれば、スピーカボックス６０、スピーカボックス６０に近いテレビジョン受信機１０の筐体部分及び支持板１００の位置関係が、筐体のビビリ音防止に寄与している。
スピーカ６２からの音声出力による振動の一部は、スピーカボックス６０近傍の筺体に伝わり、筺体全体に伝搬する。この伝搬によって、筺体同士の接合部、筺体及び他の部材の接合部等にビビリ音が発生する。そのため、この伝搬を大元で減衰させた場合、筺体内への振動の伝搬量も減少させることができ、結果的にビビリ音を軽減することができる。
筺体の底面付近に配置されたスピーカボックス６０直下の筺体部分は、最もスピーカボックス６０に近く、スピーカボックス６０からの振動を最も受けやすい。そこで、スピーカボックス６０直下の筺体の一部を支持板１００で押下することで、スピーカ６２又はスピーカボックス６０による筺体の振動を大幅に軽減することができる。
【００６８】
開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【００６９】
各実施の形態で記載されている技術的特徴（構成要件）はお互いに組合せ可能であり、組み合わせすることにより、新しい技術的特徴を形成することができる。
【００７０】
表示装置は、前側に画像を表示する画面を有する表示部２０及び該画面に対応する部分に開口が設けられ、底壁３１１、４１３１、４１１１、４１２１を有する筐体３０、４０を備える表示装置において、前記表示部２０を支持する支持板１００を備え、該支持板１００は前記筐体３０、４０の底壁３１１、４１３１、４１１１、４１２１内面に接して配置されていることを特徴とする。
【００７１】
表示装置によれば、筐体３０、４０のビビリ音を防止することができる。
支持板１００は、表示部２０の荷重を支持している。そのため、支持板１００を載置している筐体の底壁３１１、４１１１、４１３１、４１２１に、支持板１００及び表示部２０の荷重が及ぶことになる。これにより、筐体３０、４０の底壁３１１、４１１１、４１３１、４１２１が支持板１００と載置面とで押圧されるので、ビビリ音の主因である筐体３０、４０の振動が低減される。また、筐体３０、４０の振動が低減されることにより、表示部２０の後面に取り付けられた各種基板の振動も低減され、これらが触れ合って生じるビビリ音も防止することができる。
【００７２】
表示装置は、記録媒体に記録された画像を再生する再生部７０、８０を備え、前記支持板１００は前記再生部７０、８０を支持していることを特徴とする。
【００７３】
支持板１００は、表示部２０、ＨＤドライブ７０及び光ディスクドライブ８０の荷重を支持している。そのため、支持板１００を載置している筐体の底壁３１１、４１１１、４１３１、４１２１に、支持板１００、表示部２０、ＨＤドライブ７０及び光ディスクドライブ８０の荷重が及ぶことになる。これにより、筐体３０、４０の底壁３１１、４１１１、４１３１、４１２１が支持板１００と載置面とで押圧されるので、ビビリ音の主因である筐体３０、４０の振動が低減される。また、筐体３０、４０の振動が低減されることにより、表示部２０の後面に取り付けられた各種基板の振動も低減され、これらが触れ合って生じるビビリ音も防止することができる。
【００７４】
表示装置は、前記筐体３０、４０の底壁３１１、４１１１、４１３１、４１２１に前記支持板１００より小さい開口が開設されていることを特徴とする。
【００７５】
表示装置によれば、底壁３１１、４１３１、４１１１、４１２１の内部に開口が設けられているため、支持板１００に穿孔された通気孔から空気が出入りしやすく、放熱効率を向上させることができる。
【００７６】
表示装置は、箱体６１内部にスピーカ６２が固定してあるスピーカボックス６０を備え、前記支持板１００は前記表示部２０中央の下方に配置され、前記支持板１００が前記筐体３０、４０の底壁３１１、４１１１、４１３１、４１２１内面に接する部分の一部３１１、４１１１、４１２１は、前記スピーカボックス６０の直下にあることを特徴とする。
【００７７】
表示装置によれば、スピーカボックス６０直下の筺体の一部を支持板１００で押下することで、スピーカ６２又はスピーカボックス６０による筺体の振動を大幅に軽減することができる。
【００７８】
テレビジョン受信機１０は、上記に記載の表示装置と、テレビジョン放送を受信する受信部５０とを備え、前記表示装置の表示部２０は前記受信部５０が受信したテレビジョン放送に係る画像を前記画面に表示するようにしてあり、前記再生部７０、８０は前記受信部５０が受信したテレビジョン放送に係る画像を記録するようにしてあることを特徴とする。
【００７９】
テレビジョン受信機１０によれば、筐体３０、４０のビビリ音を防止することができる。
【００８０】
表示装置は、前記支持板１００は前記表示部２０中央の下方に配置され、前側に弦を有する半円状又は半楕円状をなすことを特徴とする。
【００８１】
表示装置によれば、支持板１００は、筐体３０、４０の形状に合わせて成形されているので、偏ることなく、均等に底壁３１１、４１３１、４１１１、４１２１を押圧することができる。
【符号の説明】
【００８２】
１０      テレビジョン受信機（表示装置）
２０      表示部
２１      画面
３０      フロントキャビネット（筐体）
３１１    底壁
４０      バックキャビネット（筐体）
４１１１  底壁
４１２１  底壁
４１３１  底壁
５０      チューナ（受信部）
６０      スピーカボックス
６１      箱体
６２      スピーカ
７０      ＨＤドライブ（再生部）
８０      光ディスクドライブ（再生部）
９０      支柱
１００    支持板
【図１】
2015019324.tif 000003
【図２】
2015019324.tif 000004
【図３】
2015019324.tif 000005
【図４】
2015019324.tif 000006
【図５】
2015019324.tif 000007
【図６】
2015019324.tif 000008
【図７】
2015019324.tif 000009
【図８】
2015019324.tif 000010
【図９】
2015019324.tif 000011
【図１０】
2015019324.tif 000012
【図１１】
2015019324.tif 000013
【図１２】
2015019324.tif 000014
【図１３】
2015019324.tif 000015
【図１４】
2015019324.tif 000016
【手続補正書】
【提出日】平成26年9月30日(2014.9.30)
【手続補正１】
【補正対象書類名】明細書
【補正対象項目名】０００６
【補正方法】変更
【補正の内容】
【０００６】
本願に係る表示装置は、前側に画像を表示する画面を有する表示部及び該画面に対応する部分に開口が設けられ、底壁を有する筐体を備える表示装置において、前記表示部を支持する支持板と、箱体内部にスピーカが固定してあるスピーカボックスとを備え、前記支持板は前記筐体の底壁内面に接して配置されており、前記支持板が前記筐体の底壁内面に接する部分の一部は、前記スピーカボックスの直下にあることを特徴とする。
【手続補正２】
【補正対象書類名】明細書
【補正対象項目名】０００９
【補正方法】変更
【補正の内容】
【０００９】
本願に係る表示装置は、前記支持板は前記表示部中央の下方に配置されていることを特徴とする。
【手続補正３】
【補正対象書類名】特許請求の範囲
【補正対象項目名】全文
【補正方法】変更
【補正の内容】
【特許請求の範囲】
【請求項１】
前側に画像を表示する画面を有する表示部及び該画面に対応する部分に開口が設けられ、底壁を有する筐体を備える表示装置において、
前記表示部を支持する支持板と、
箱体内部にスピーカが固定してあるスピーカボックスと
を備え、
前記支持板は前記筐体の底壁内面に接して配置されており、
前記支持板が前記筐体の底壁内面に接する部分の一部は、前記スピーカボックスの直下にあること
を特徴とする表示装置。
【請求項２】
記録媒体に記録された画像を再生する再生部を備え、
前記支持板は前記再生部を支持している
ことを特徴とする請求項１に記載の表示装置。
【請求項３】
前記筐体の底壁に前記支持板より小さい開口が開設されている
ことを特徴とする請求項１又は請求項２に記載の表示装置。
【請求項４】
前記支持板は前記表示部中央の下方に配置されていること
を特徴とする請求項１から請求項３までのいずれか一項に記載の表示装置。
【請求項５】
請求項１から請求項４までのいずれか一項に記載の表示装置と、
テレビジョン放送を受信する受信部と
を備え、
前記表示装置の表示部は前記受信部が受信したテレビジョン放送に係る画像を前記画面に表示するようにしてあり、
前記再生部は前記受信部が受信したテレビジョン放送に係る画像を記録するようにしてある
ことを特徴とするテレビジョン受信機。